【事件の表示】
　平成　９年特許願第　１２２５４号「視覚装置」拒絶査定に対する審判事件［平成　９年　６月３０日出願公開、特開平　９−１７２５８６］について、次のとおり審決する。
【結　論】
　本件審判の請求は、成り立たない。
【理　由】
第１　本願発明
　本願は、平成９年１月２７日の出願（昭和６２年１１月１９日に出願された特願昭６２−２９２５８５号の分割出願）であって、その発明は、補正された明細書及び図面の記載からみて、その特許請求の範囲（請求項の数２）に記載された「視覚装置」に係るものであるところ、その請求項１に係る発明（以下「本願発明」という。）は、次に掲げるとおりのものである。
「使用者の頭部に着脱自在に取り付け可能に構成された視覚装置において、
　両眼を覆うようにゴーグル形状に形成されると共に、装着時に顔面に当接させる装置本体と、
　前記装置本体の内部に設けられると共に表示部より供給される映像から拡大された虚像を生成する虚像生成手段と、
　当該虚像生成手段で生成した虚像を両眼に供給すると共に、外光を両眼に供給する手段と、
　音声を両耳に供給する手段と、
　外部からの映像信号を入力するための映像信号入力手段と、
　外部からの音声信号を入力するための音声信号入力手段と、
　前記映像信号入力手段から入力された映像信号により前記表示部を駆動する映像駆動手段と、
　前記音声信号入力手段から入力された音声信号により前記音声を供給する手段を駆動する音声駆動手段と、
　前記映像駆動手段と前記音声駆動手段に電源を供給する電源供給手段と、
　前記使用者の一つのスイッチの操作に応じて前記映像及び音声の両方の供給を停止する制御手段とを有し、
　前記表示部は、液晶ディスプレイと、蛍光灯を有するバックライト手段とで構成され、
　前記液晶ディスプレイは、前記装置本体の上部に配置されるとともに、前記液晶ディスプレイの表示面を前記虚像生成手段に向けて下向きの姿勢で設けられ、
　前記バックライト手段は、前記液晶ディスプレイの上方であって、前記装置本体の上面から突出した状態で設けられると共に、両眼を覆う空間とは仕切られた空間に配置された
　ことを特徴とする視覚装置」
　
第２　刊行物発明
　１　刊行物１の発明
　　当審の拒絶理由に引用された刊行物である、本願の出願の日前の昭和５９年７月７日に頒布された特開昭５９−１１７８７６号公報（以下「刊行物１」という。）には、次に掲げる(1)ないし(4)の事項からなるパーソナル液晶映像表示器（以下「刊行物１の発明」という。）が記載されている。
　 (1)　透過型液晶表示パネル20はレンズ手段10の焦点距離(f)の内側に位置しているため、自然光80又はランプ光により照射された透過型液晶表示パネル20上の表示画像21をレンズ手段10を介して見れば、実際の表示画像21より以遠にしかも拡大した虚像50を見ることができる。（２頁右下欄１２行ないし１８行）
　 (2)　本発明の一実施例を第２図を用いて説明する。
　第１図と同一番号は、同一作用効果を有するものである。この実施例は、透過型液晶表示パネル20を１枚とレンズ手段１枚を用いたものである。
　自然光80は、集光窓81により照射され透過型液晶表示パネル20、レンズ手段10を介してプリズム60によって左右に分離され、反射鏡61によって左・右の目40に到達する様に、集光窓81、透過型液晶表示パネル20、レンズ手段10、プリズム60及び反射鏡61が保持手段30によって保持されている。
　更に保持手段30には、透過型液晶表示パネル20を駆動するＩＣ等の回路62が空間を利用して配置され、回路62の外部接続線は外部接続端子63に接続されている。又音声出力用のヘッドホーン64は保持手段30の１部に人間の耳70に対応できる様に調整可能に取り付けられている。（３頁左上欄９行ないし同頁右上欄５行）
　 (3)　チューナ部を含めた本体90は、外部アンテナからの放送電波を入力信号としてハイパスフィルタを介して入力され、チューナ、中間周波増幅検出回路、音声中間周波増幅検波回路及びオーディオ増幅回路を経て、映像信号、音声信号を出力する信号処理部と、DC-DCコンバータと電池からなる電源部で構成されている。
　ケーブル線91を介して、映像信号、音声信号及び駆動電圧は、保持手段30の外部接続端子65に接続され、映像信号は回路62に入力され、ビデオ増幅器、水平・垂直同期分離回路、マトリックス信号発生回路等により、透過型液晶表示パネル20を駆動する。一方音声信号は、保持手段30の１部に取り付けられたヘッドホーン64に接続されている。（３頁左下欄下から７行ないし同頁右下欄８行）
　 (4)　ヘッドホーン64を内蔵した保持手段30を頭にセットし、電波スイッチ兼音量調節ツマミ94を回動して電源をオンし(ON)、チャンネルツマミ93を所望のチャンネルに合わせれば、ケーブル線91がアンテナとなり、放送電波をとらえ、本体90によって、映像信号と音声信号を出力し、映像信号は透過型液晶パネル20上に表示し、音声信号はヘッドホーン64から音声が出る。（３頁右下欄１１行ないし１８行）
　
　２　刊行物２の発明
　　同じく、当審の拒絶理由に引用された刊行物である、本願の出願の日前の昭和４９年４月２４日に頒布された特開昭４９−４３７４９号公報（以下「刊行物２」という。）には、次に掲げる(1)ないし(3)の事項からなるヘルメット装架現示装置（以下「刊行物２の発明」という。）が記載されている。
　 (1)　何れの目に対しても重畳された影像を与える。前頭装架の、即ちヘルメット装架の現示装置（２頁右下欄２行ないし４行）
　 (2)　今一つの可能な影像は、光学的ファイバ束を利用して、光源18まで運ばれ得る。低いレベルのTV装置その他の可視的補助装置の出力である。（３頁左下欄６行ないし９行）
　 (3)　鏡34は、光輻射装置28によって現示される対象の虚像が、焦点14に位置ぎめされるように、配置されている。この実施例に於いては、鏡34は平面鏡であるが、これは必ずしも平面であることを要しない。これに拡大作用を持たせて、影像のサイズを増大させることもできる。（４頁左下欄２行ないし８行）
　
第３　刊行物発明と本願発明との対比
　１　刊行物１の発明における事項と本願発明における事項との対比
　　刊行物１の発明は「パーソナル液晶映像表示器」に係るものであるが、この表示器は、本願発明のように、使用者の頭部に着脱自在に取り付け可能に構成されたともいえるから（刊行物１の第５図及び第６図(a)を参照）、本願発明に係る「視覚装置」に一応対応する。
　　　したがって、刊行物１の発明における事項と本願発明における事項とを対比すると、次に掲げる(1)ないし(10)の事項がそれぞれ対応ないしは相当する。
　 (1)　刊行物１の発明における「保持手段30」は、両眼を覆うように形成されているが（刊行物１の第５図及び第６図(a)を参照）、ゴーグル形状で装着時に顔面に当接させるかどうかは別として、本願発明における「装置本体」に一応対応する。
　 (2)　刊行物１の発明における「レンズ手段10、プリズム60及び反射鏡61」は、保持手段30の内部に設けられると共に液晶表示パネル20より供給される映像から拡大された虚像を生成するから（上記第２の１の(1)を参照）、本願発明における「虚像生成手段」に一応対応する。
　 (3)　刊行物１の発明における「液晶表示パネル20、レンズ手段10、プリズム60及び反射鏡61」は、左・右の目40に生成された虚像を供給するから（上記第２の１の(2)を参照）、外光を両眼に供給するかどうかは別として、本願発明における「両眼に供給する手段」に一応対応する。
　 (4)　刊行物１の発明における「ヘッドホーン64」は、音声出力用であって、人間の耳70に対応して取り付けられているから（上記第２の１の(2)を参照）、本願発明における「両耳に供給する手段」に相当する。
　 (5)　刊行物１の発明における「外部接続端子63」は、映像信号を入力するから（上記第２の１の(3)を参照）、本願発明における「映像信号入力手段」に相当する。
　 (6)　刊行物１の発明における「外部接続端子63」は、音声信号を入力するから（上記第２の１の(3)を参照）、本願発明における「音声信号入力手段」に相当する。
　 (7)　刊行物１の発明における「回路62」は、外部接続端子63から入力された映像信号により透過型液晶表示パネル20を駆動するから（上記第２の１の(3)を参照）、本願発明における「映像駆動手段」に相当する。
　 (8)　刊行物１の発明における「オーディオ増幅回路」は、音声信号によりヘッドホーン64を駆動するから（上記第２の１の(3)を参照）、この音声信号が外部接続端子63から入力されたものであるかどうかは別として、本願発明における「音声駆動手段」に一応対応する。
　 (9)　刊行物１の発明における「電源部」は、回路62と本体90の信号処理部に電源を供給するから（上記第２の１の(3)(4)を参照）、本願発明における「電源供給手段」に相当する。
　(10)　刊行物１の発明における「DC-DCコンバータ」は、電源スイッチ兼音量調節ツマミ94が回動されて電池がオンすると、映像及び音声を透過型液晶表示パネル20及びヘッドホーン64に供給させるものといえるから（上記第２の１の(3)(4)を参照）、このものは、また、電源スイッチ兼音量調節ツマミ94が逆に回動されて電池がオフすると、映像及び音声の透過型液晶表示パネル20及びヘッドホーン64への供給を停止させるから、本願発明における「制御手段」に相当する。
　
　２　刊行物１の発明と本願発明との一致点と相違点の検討
　　上記対比から刊行物１の発明と本願発明とは、次に掲げる(1)の点で一致し、次に掲げる(2)の点で相違する。
　 (1)　一致点
　　　「使用者の頭部に着脱自在に取り付け可能に構成された視覚装置において、
　両眼を覆う装置本体と、
　前記装置本体の内部に設けられると共に表示部より供給される映像から拡大された虚像を生成する虚像生成手段と、
　当該虚像生成手段で生成した虚像を両眼に供給する手段と、
　音声を両耳に供給する手段と、
　外部からの映像信号を入力するための映像信号入力手段と、
　外部からの音声信号を入力するための音声信号入力手段と、
　前記映像信号入力手段から入力された映像信号により前記表示部を駆動する映像駆動手段と、
　音声信号により前記音声を供給する手段を駆動する音声駆動手段と、
　前記映像駆動手段と前記音声駆動手段に電源を供給する電源供給手段と、
　前記使用者の一つのスイッチの操作に応じて前記映像及び音声の両方の供給を停止する制御手段とを有する視覚装置」
　 (2)　相違点
　　　ア　上記「装置本体」が、本願発明においては「ゴーグル形状に形成されると共に、装着時に顔面に当接させる」のに対して、刊行物１の発明においては、このようになされていない点
　　　イ　上記「両眼に供給する手段」が、本願発明においては「外光を共に供給する」のに対して、刊行物１の発明においては、このようになされていない点
　　　ウ　上記「音声駆動手段」が、本願発明においては「音声信号入力手段から入力された音声信号」により音声を供給する手段を駆動するのに対して、刊行物１の発明において「外部接続端子63から入力された音声信号」は、そのままヘッドホーン64に供給される点
　　　エ　上記「視覚装置」において、本願発明においては「前記表示部は、液晶ディスプレイと、蛍光灯を有するバックライト手段とで構成され、
　前記液晶ディスプレイは、前記装置本体の上部に配置されるとともに、前記液晶ディスプレイの表示面を前記虚像生成手段に向けて下向きの姿勢で設けられ、
　前記バックライト手段は、前記液晶ディスプレイの上方であって、前記装置本体の上面から突出した状態で設けられると共に、両眼を覆う空間とは仕切られた空間に配置される」のに対して、刊行物１の発明においては、表示部は液晶ディスプレイで構成されいるが、両眼に供給される虚像を生成するための手段の配置が異なる点
　
　３　相違点についての検討
　 (1)　相違点アについての検討
　　　刊行物１には、保持手段30として、めがねのフレーム等が挙げられ（２頁右下欄５，６行を参照）、また、刊行物１の第５図には、ゴーグル形状で顔面に当接されるものが示されているともいえるから、保持手段30を、ゴーグル形状とし、顔面に当接させることは、当業者であれば、適宜なし得ることである。
　したがって、「装置本体」を「ゴーグル形状に形成すると共に、装着時に顔面に当接させる」ことは、当業者であれば、適宜なし得ることである。
　 (2)　相違点イについての検討
　　　刊行物２の発明は、両眼に外光が供給されると共に鏡34からの虚像が重畳されるものであるから、刊行物１の発明における「反射鏡61」を刊行物２の発明における「鏡34」とすることによって、両眼に外光と虚像を供給することは、当業者であれば、適宜なし得ることである。
　したがって、「両眼に供給する手段」を「外光を共に供給する」とすることは、当業者であれば、適宜なし得ることである。
　なお、両眼に外光と虚像を供給することに関して、以下(4)で、さらに検討する。
　 (3)　相違点ウについての検討
　　　刊行物１の発明においては、オーディオ増幅回路は本体90に設けられているが、ヘッドホーン64を駆動するに当たって、本体90に設けられているオーディオ増幅回路を保持手段30に設けることは、当業者が適宜なし得る設計事項である。
　したがって、「音声駆動手段」を「音声信号入力手段（外部接続端子63）から入力された音声信号」により音声を供給する手段（ヘッドホーン64）を駆動するとすることは、当業者であれば、適宜なし得ることである。
　 (4)　相違点エについての検討
　　　刊行物１の発明における「液晶表示パネル20」はバックライト手段を必要としないものであるが、本来液晶表示手段は、液晶が自ら発光するものではないので、自然光や人工光を必要とするものであるから、刊行物１の発明において、「液晶表示パネル20」に人工光によるところの蛍光灯を有するバックライト手段を設けることは、設計事項である。
　また、上記相違点(2)で検討したように、刊行物２の発明を適用して両眼に外光を供給する構成とした場合にあっては、液晶表示パネル20は保持手段30の上部に配置すること、刊行物１の発明における反射鏡61は刊行物２の発明における鏡34に置き換えられ、この鏡34（虚像生成手段）に向けて下向きの姿勢で液晶表示パネル20の表示面を設けること、及び、このようにすることで、バックライト手段は液晶表示パネル20の上方となることは自明なことである。
　さらに、刊行物２の発明を適用する場合にあっては、バックライト手段を、両眼を覆う空間とは仕切られた空間に配置することは、バックライト手段を内部に設けるか、外部に設けるかの二者択一であるから、設計事項といえる。
　なお、液晶ディスプレイやＣＲＴなどの表示手段を装置本体の上部に配置して、表示手段に表示された映像を虚像として外光と共に見るものは、原審で引用された米国特許第３，９２３，３７０号明細書、特に図１ないし３に示されている。
　したがって、「視覚装置」において、「前記表示部は、液晶ディスプレイと、蛍光灯を有するバックライト手段とで構成され、
　前記液晶ディスプレイは、前記装置本体の上部に配置されるとともに、前記液晶ディスプレイの表示面を前記虚像生成手段に向けて下向きの姿勢で設けられ、
　前記バックライト手段は、前記液晶ディスプレイの上方であって、前記装置本体の上面から突出した状態で設けられると共に、両眼を覆う空間とは仕切られた空間に配置される」とすることは、当業者であれば、適宜なし得ることである。
　
第４　むすび
　以上、本願発明は、刊行物１の発明に基いて、当業者が容易に発明をすることができたものであるから、特許法２９条２項の規定により特許を受けることができない。
　したがって、他の請求項２に係る発明について検討するまでもなく、本願は拒絶すべきものである。
　よって、結論のとおり審決する。